(57)【特許請求の範囲】
【請求項１】
記録媒体に記録された画像をデジタル的に読み取る画像読取装置を備え、前記読み取ったデジタル画像データに所定の画像処理を施して出力する画像処理装置であって、
前記画像読取手段で読み取られた全ての画像に対して実行する必須画像処理手段と、
前記画像読取装置で読み取られた画像の内、特別に指定された場合に実行する特別画像処理手段と、
前記特別画像処理手段による画像処理を指示する指示手段と、
を有し、
前記指示手段で指示された複数の特別画像処理手段の組み合わせにおいて、互いに相反する或いは無意味な不適組み合わせ処理同士は、最も新しく指示された特別画像処理を優先し、最も古く指示された特別画像処理をキャンセルすることにより前記特別画像処理手段の一部をキャンセルすることを特徴とする画像処理装置。
【請求項２】
前記特別画像処理手段の中で、実際に指示手段で指示されている処理内容をオペレータへ通知する通知手段をさらに有することを特徴とする請求項１記載の画像処理装置。
【請求項３】
前記画像読取手段が、読み取った画像を１コマ毎或いは複数コマ毎を含む複数種の表示形態で表示するモニタを備え、前記指示手段で指示したによる前記特別画像処理手段の処理内容と、前記モニタの表示形態と、が予め定められた組み合わせとにマッチングしたときのみ、前記指示手段の指示を有効することを特徴とする請求項１又は請求項２記載の画像処理装置。
【請求項４】
記録媒体に記録された画像をデジタル的に読み取る画像読取装置を備え、前記読み取ったデジタル画像データに所定の画像処理を施して出力する画像処理装置であって、
前記画像読取手段で読み取られた全ての画像に対して実行する必須画像処理手段と、
前記画像読取装置で読み取られた画像の内、特別に指定された場合に実行する特別画像処理手段と、
前記特別画像処理手段による画像処理を指示する指示手段と、
前記画像読取手段に備えられ、読み取った画像を１コマ毎或いは複数コマ毎を含む複数種の表示形態で表示するモニタと、
を有し、
前記指示手段で指示したによる前記特別画像処理手段の処理内容と、前記モニタの表示形態と、が予め定められた組み合わせとにマッチングしたときのみ、前記指示手段の指示を有効することを特徴とする画像処理装置。
【請求項５】
記録媒体に記録された画像をデジタル的に読み取る画像読取装置を備え、前記読み取ったデジタル画像データに所定の画像処理を施して出力する画像処理装置であって、
前記画像読取手段で読み取られた全ての画像に対して実行する必須画像処理手段と、
前記画像読取装置で読み取られた画像の内、特別に指定された場合に実行する特別画像処理手段と、
前記特別画像処理手段による画像処理を指示する指示手段と、
前記特別画像処理手段の中で、実際に指示手段で指示されている処理内容をオペレータへ通知する通知手段と、
前記画像読取手段に備えられ、読み取った画像を１コマ毎或いは複数コマ毎を含む複数種の表示形態で表示するモニタと、
を有し、
前記指示手段で指示したによる前記特別画像処理手段の処理内容と、前記モニタの表示形態と、が予め定められた組み合わせとにマッチングしたときのみ、前記指示手段の指示を有効することを特徴とする画像処理装置。
【請求項６】
前記指示手段が、顧客毎に設けられ注文内容が記録された記録媒体の記録内容に基づいて指示されることを特徴とする請求項１乃至請求項５の何れか１項記載の画像処理装置。
【請求項７】
前記特別画像処理手段が、少なくとも画像全体の構造的補正を目的とする像構造効果、画像の色味の補正を目的とする色再現効果、前記画像読取手段で読み取られた画像に基づいて、構造や色味等の様々な特殊な処理を施すことを目的とする特殊効果を含む、画像処理であることを特徴とする請求項１乃至請求項６の何れか１項記載の画像処理装置。
【発明の詳細な説明】
【０００１】
【発明の属する技術分野】
本発明は、記録媒体に記録された画像をデジタル的に読み取る画像読取装置を備え、前記読み取ったデジタル画像データに所定の画像処理を施して出力する画像処理装置に関する。
【０００２】
【従来の技術及び発明が解決しようとする課題】
近年では、ネガフィルムに記録されたコマ画像をＣＣＤ等の読取センサによって光電的に読み取り、該読み取りによって得られたデジタル画像データに対し拡大縮小や各種補正等の画像処理を実行し、画像処理済のデジタル画像データに基づき変調したレーザ光により記録材料へ画像を形成する技術が知られている。
【０００３】
このようにＣＣＤ等の読取センサによりコマ画像をデジタル的に読み取る技術では、精度の良い画像読み取りを実現するために、コマ画像を予備的に読み取り（いわゆるプレスキャン）、コマ画像の濃度等に応じた読取条件（例えば、コマ画像に照射する光量やＣＣＤの電荷蓄積時間等）を決定し、決定した読取条件でコマ画像を再度読み取っていた（いわゆるファインスキャン）。
【０００４】
また、ファインスキャン画像データにおいては、オートセットアップと称される読取画像に対して必ず行う画像処理が実行され、最終的に出力画像データが生成されるようになっている。
【０００５】
ここで、上記オートセットアップに含まれる画像処理以外に、オペレータの指示により実行される画像処理が存在する。例えば、画像の構造的な効果を測る画像処理としては、シャープネス処理、粒状処理、撮影レンズ色収差処理、撮影レンズ歪曲処理等があり、色再現性を向上するための画像処理としては、全画像に対する色再現、人物の顔等特定領域に対する色再現、空間周波数領域に対する色再現（ハイパートーン）等があり、原画像に対して特殊な効果を施すための画像処理としては、モノトーン処理、人物の体系を変更すべく縦横比を変更する縦横比変更処理、赤目処理、クロスフィルタ合成処理等がある。なお、以後これらを総称する場合、特別画像処理という。
【０００６】
このような特別画像処理は、全ての画像に対して実施するものではなく、オペレータの判断や顧客からの要望によって実施される画像処理である。すなわち、顧客がモノトーン画像を望む場合には、その旨を注文用紙に記入することにより、オペレータはこの注文内容に従って処理を行う。
【０００７】
しかしながら、上記特別画像処理には、上記の如く複数種類存在し、中には、同一の画像に対して互いに相反する処理となるもの、すなわち、ハード構成上無理な組み合わせや無意味な処理となる組み合わせが存在する。例えば、シャープネス処理に含まれるハイパーシャープネス処理が画像を鮮明にして所謂硬い画像を生成するのに対し、ソフトフォーカス処理が意図的に画像をぼかして所謂軟らかい画像を生成するため、これらを同時に処理することはできず、また、順次処理したとしても無意味な処理となる。
【０００８】
このように、特別画像処理が増加すればするほど、その設定の管理等が必要であるが、この点、特別画像処理の管理及び操作手順に関して明確に確立しておらず、無駄な操作が増え、作業効率の低下を招くことになる。
【０００９】
本発明は上記事実を考慮し、画像読取手段で読み取られた全ての画像に対して実行する必須の画像処理手段以外の特別に指定された場合に実行する特別画像処理である特別画像処理に関する管理及び操作手順を確立し、作業効率の向上を図ることができる画像処理装置を得ることが目的である。
【００１０】
【課題を解決するための手段】
請求項１に記載の発明は、記録媒体に記録された画像をデジタル的に読み取る画像読取装置を備え、前記読み取ったデジタル画像データに所定の画像処理を施して出力する画像処理装置であって、前記画像読取手段で読み取られた全ての画像に対して実行する必須画像処理手段と、前記画像読取装置で読み取られた画像の内、特別に指定された場合に実行する特別画像処理手段と、前記特別画像処理手段による画像処理を指示する指示手段と、を有し、前記指示手段で指示された複数の特別画像処理手段の組み合わせにおいて、互いに相反する或いは無意味な不適組み合わせ処理同士は、最も新しく指示された特別画像処理を優先し、最も古く指示された特別画像処理をキャンセルすることにより前記特別画像処理手段の一部をキャンセルすることを特徴としている。
【００１１】
請求項１に記載の発明によれば、画像読取装置で読み取られた画像は、必須画像処理手段によって、読み取られた画像全てが画像処理される。この必須画像処理手段で処理された画像処理は、オートセットアップと称され、コマ画像の濃度や色味等をより原画像に近い画像とするための処理であり、画像読取装置における読取時間や読み取った画像に対して色、濃度補正等を実行される。
【００１２】
これに対して、特別画像処理は、オペレータの判断によって実行されるものであり、指示手段により指示されることにより実行される。
【００１３】
すなわち、少なくとも必須画像処理と特別画像処理とを区別しておくことにより、指示手段で何ら指示がない場合には、自動的にオートセットアップが実行され、効率よく画像を処理していくことができる。
ここで、特別画像処理手段の中の画像処理の間には、ハード構成上無理、或いは意味のない組み合わせが存在する。本発明では、このような組み合わせがあった場合、整合する組み合わせとなるように一部の画像処理をキャンセルすることにより、装置が停止するような不具合はない。
さらに、このとき、最も古い時期に指示された特別画像処理からキャンセルしていくことにより、最新の指示に順次更新させることができる。
【００１４】
請求項２に記載の発明は、前記請求項１に記載の発明において、前記特別画像処理手段の中で、実際に指示手段で指示されている処理内容をオペレータへ通知する通知手段をさらに有することを特徴としている。
【００１５】
請求項２に記載の発明によれば、特別画像処理手段が複数指示されると、その指示内容を管理する必要がある。この管理の１つとして、オペレータに指示内容を通知する通知手段を備える。例えば、読み取った画像を表示するモニタがある場合には、このモニタ上に表示したり、読み取った画像データに基づいて写真プリントを作成する場合には、この写真プリントの余白（裏面を含む）に印字する。これにより、読み取られた画像がどのような画像処理が施されたかを確認することができる。
【００１６】
請求項３に記載の発明は、前記請求項１又は請求項２に記載の発明において、前記画像読取手段が、読み取った画像を１コマ毎或いは複数コマ毎を含む複数種の表示形態で表示するモニタを備え、前記指示手段で指示したによる前記特別画像処理手段の処理内容と、前記モニタの表示形態と、が予め定められた組み合わせとにマッチングしたときのみ、前記指示手段の指示を有効することを特徴としている。
【００１７】
請求項３に記載の発明によれば、画像読取手段がモニタを備えており、このモニタには、読み取った画像が１コマ毎或いは複数コマ毎を含む複数種の表示形態で表示される。ここで、例えばモノトーン処理の場合、画像コマ毎にモノトーンをする／しないの指示が可能であるため、複数コマ表示がなされていても、処理される画像は１コマ毎であるため、画像処理内容と表示形態とがマッチングしない。そこで、予め各画像処理とマッチングする表示形態とを定めておき、指示手段で指示された特別画像処理手段の種類と、モニタの表示形態とがマッチングしたときのみ指示手段の指示を有効とする。これにより、モニタの表示形態を切り替える等、対応が迅速に行える。
【００２０】
請求項４に記載の発明は、記録媒体に記録された画像をデジタル的に読み取る画像読取装置を備え、前記読み取ったデジタル画像データに所定の画像処理を施して出力する画像処理装置であって、前記画像読取手段で読み取られた全ての画像に対して実行する必須画像処理手段と、前記画像読取装置で読み取られた画像の内、特別に指定された場合に実行する特別画像処理手段と、前記特別画像処理手段による画像処理を指示する指示手段と、前記画像読取手段に備えられ、読み取った画像を１コマ毎或いは複数コマ毎を含む複数種の表示形態で表示するモニタと、を有し、前記指示手段で指示したによる前記特別画像処理手段の処理内容と、前記モニタの表示形態と、が予め定められた組み合わせとにマッチングしたときのみ、前記指示手段の指示を有効することを特徴としている。
【００２１】
請求項４に記載の発明によれば、画像読取装置で読み取られた画像は、必須画像処理手段によって、読み取られた画像全てが画像処理される。この必須画像処理手段で処理された画像処理は、オートセットアップと称され、コマ画像の濃度や色味等をより原画像に近い画像とするための処理であり、画像読取装置における読取時間や読み取った画像に対して色、濃度補正等を実行される。
これに対して、特別画像処理は、オペレータの判断によって実行されるものであり、指示手段により指示されることにより実行される。
すなわち、少なくとも必須画像処理と特別画像処理とを区別しておくことにより、指示手段で何ら指示がない場合には、自動的にオートセットアップが実行され、効率よく画像を処理していくことができる。
また、画像読取手段がモニタを備えており、このモニタには、読み取った画像が１コマ毎或いは複数コマ毎を含む複数種の表示形態で表示される。ここで、例えばモノトーン処理の場合、画像コマ毎にモノトーンをする／しないの指示が可能であるため、複数コマ表示がなされていても、処理される画像は１コマ毎であるため、画像処理内容と表示形態とがマッチングしない。そこで、予め各画像処理とマッチングする表示形態とを定めておき、指示手段で指示された特別画像処理手段の種類と、モニタの表示形態とがマッチングしたときのみ指示手段の指示を有効とする。これにより、モニタの表示形態を切り替える等、対応が迅速に行える。
【００２２】
請求項５に記載の発明は、記録媒体に記録された画像をデジタル的に読み取る画像読取装置を備え、前記読み取ったデジタル画像データに所定の画像処理を施して出力する画像処理装置であって、前記画像読取手段で読み取られた全ての画像に対して実行する必須画像処理手段と、前記画像読取装置で読み取られた画像の内、特別に指定された場合に実行する特別画像処理手段と、前記特別画像処理手段による画像処理を指示する指示手段と、前記特別画像処理手段の中で、実際に指示手段で指示されている処理内容をオペレータへ通知する通知手段と、前記画像読取手段に備えられ、読み取った画像を１コマ毎或いは複数コマ毎を含む複数種の表示形態で表示するモニタと、を有し、前記指示手段で指示したによる前記特別画像処理手段の処理内容と、前記モニタの表示形態と、が予め定められた組み合わせとにマッチングしたときのみ、前記指示手段の指示を有効することを特徴としている。
【００２３】
請求項５に記載の発明によれば、画像読取装置で読み取られた画像は、必須画像処理手段によって、読み取られた画像全てが画像処理される。この必須画像処理手段で処理された画像処理は、オートセットアップと称され、コマ画像の濃度や色味等をより原画像に近い画像とするための処理であり、画像読取装置における読取時間や読み取った画像に対して色、濃度補正等を実行される。
これに対して、特別画像処理は、オペレータの判断によって実行されるものであり、指示手段により指示されることにより実行される。
すなわち、少なくとも必須画像処理と特別画像処理とを区別しておくことにより、指示手段で何ら指示がない場合には、自動的にオートセットアップが実行され、効率よく画像を処理していくことができる。
また、特別画像処理手段が複数指示されると、その指示内容を管理する必要がある。そこで、本発明では、この管理の１つとして、オペレータに指示内容を通知する通知手段を備える。例えば、読み取った画像を表示するモニタがある場合には、このモニタ上に表示したり、読み取った画像データに基づいて写真プリントを作成する場合には、この写真プリントの余白（裏面を含む）に印字する。これにより、読み取られた画像がどのような画像処理が施されたかを確認することができる。
さらに、画像読取手段がモニタを備えており、このモニタには、読み取った画像が１コマ毎或いは複数コマ毎を含む複数種の表示形態で表示される。ここで、例えばモノトーン処理の場合、画像コマ毎にモノトーンをする／しないの指示が可能であるため、複数コマ表示がなされていても、処理される画像は１コマ毎であるため、画像処理内容と表示形態とがマッチングしない。そこで、予め各画像処理とマッチングする表示形態とを定めておき、指示手段で指示された特別画像処理手段の種類と、モニタの表示形態とがマッチングしたときのみ指示手段の指示を有効とする。これにより、モニタの表示形態を切り替える等、対応が迅速に行える。
【００２４】
請求項６に記載の発明は、請求項１乃至請求項５の何れか１項記載の発明において、前記指示手段が、顧客毎に設けられ注文内容が記録された記録媒体の記録内容に基づいて指示されることを特徴としている。
【００２５】
請求項６記載の発明によれば、指示手段として、注文内容が記録された記録媒体を準備する。例えば、最初の受付のときに顧客カードを発行し、この顧客カードに当該顧客の好み（例えば、鮮明な画像を希望する等）を入力しておき、その都度、指示がなくても特別画像処理として、顧客の好みに合う処理を実行することができる。
【００２６】
請求項７に記載の発明は、前記請求項１乃至請求項６の何れか１項記載の発明において、前記特別画像処理手段が、少なくとも画像全体の構造的補正を目的とする像構造効果、画像の色味の補正を目的とする色再現効果、前記画像読取手段で読み取られた画像に基づいて、構造や色味等の様々な特殊な処理を施すことを目的とする特殊効果を含む、画像処理であることを特徴としている。
【００２７】
請求項７に記載の発明によれば、特別画像処理手段として、像構造効果、色再現効果、特殊効果の少なくも３つの効果を含んでいる。
像構造効果には、シャープネス処理、粒状処理、撮影レンズ色収差処理、撮影レンズ歪曲処理の各処理がある。また、色再現効果には、前記画像に対する色再現処理、特定領域に対する色再現処理、空間周波数に対する色再現処理の各処理がある。さらに、特殊効果には、モノトーン処理、縦横比経項処理、赤目修正処理、クロスフィルタ処理の各処理がある。
これらの処理を予め、その処理内容に基づいて分類しておくことにより、指示手段による指示があった場合の操作手順が容易となる。
【００２８】
【発明の実施の形態】
図１及び図２には、本実施形態に係るディジタルラボシステム１０の概略構成が示されている。
【００２９】
図１に示すように、このディジタルラボシステム１０は、ラインＣＣＤスキャナ１４、画像処理部１６、レーザプリンタ部１８、及びプロセッサ部２０を含んで構成されており、ラインＣＣＤスキャナ１４と画像処理部１６は、図２に示す入力部２６として一体化されており、レーザプリンタ部１８及びプロセッサ部２０は、図２に示す出力部２８として一体化されている。
【００３０】
ラインＣＣＤスキャナ１４は、ネガフィルムやリバーサルフィルム等の写真フィルムに記録されているコマ画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。ラインＣＣＤスキャナ１４は、上記の読取対象のコマ画像をラインＣＣＤ３０で読み取り、Ａ／Ｄ変換部３２においてＡ／Ｄ変換した後、画像データを画像処理部１６へ出力する。
【００３１】
なお、本実施の形態では、２４０サイズの写真フィルム（ＡＰＳフィルム）６８を適用した場合のディジタルラボシステム１０として説明する。
【００３２】
画像処理部１６は、ラインＣＣＤスキャナ１４から出力された画像データ（スキャン画像データ）が入力されると共に、デジタルカメラ３４等での撮影によって得られた画像データ、原稿（例えば反射原稿等）をスキャナ３６（フラットベット型）で読み取ることで得られた画像データ、他のコンピュータで生成され、フロッピディスクドライブ３８、ＭＯドライブ又はＣＤドライブ４０に記録された画像データ、及びモデム４２を介して受信する通信画像データ等（以下、これらをファイル画像データと総称する）を外部から入力することも可能なように構成されている。
【００３３】
画像処理部１６は、入力された画像データを画像メモリ４４に記憶し、色階調処理部４６、ハイパートーン処理部４８、ハイパーシャープネス処理部５０等の各種の補正等の画像処理を行って、記録用画像データとしてレーザプリンタ部１８へ出力する。また、画像処理部１６は、画像処理を行った画像データを画像ファイルとして外部へ出力する（例えばＦＤ、ＭＯ、ＣＤ等の記憶媒体に出力したり、通信回線を介して他の情報処理機器へ送信する等）ことも可能とされている。
【００３４】
レーザプリンタ部１８はＲ、Ｇ、Ｂのレーザ光源５２を備えており、レーザドライバ５４を制御して、画像処理部１６から入力された記録用画像データ（一旦、画像メモリ５６に記憶される）に応じて変調したレーザ光を印画紙に照射して、走査露光（本実施の形態では、主としてポリゴンミラー５８、ｆθレンズ６０を用いた光学系）によって印画紙６２に画像を記録する。また、プロセッサ部２０は、レーザプリンタ部１８で走査露光によって画像が記録された印画紙６２に対し、発色現像、漂白定着、水洗、乾燥の各処理を施す。これにより、印画紙上に画像が形成される。
【００３５】
（ラインＣＣＤスキャナの構成）
次にラインＣＣＤスキャナ１４の構成について説明する。図１にはラインＣＣＤスキャナ１４の光学系の概略構成が示されている。この光学系は、写真フィルム６８に光を照射する光源６６を備えており、光源６６の光射出側には、写真フィルム６８に照射する光を拡散光とする光拡散板７２が配置されている。
【００３６】
写真フィルム６８は、光拡散板７２が配設された側に配置されたフィルムキャリア７４によって、コマ画像の画面が光軸と垂直になるように搬送される。
【００３７】
写真フィルム６８を挟んで光源６６と反対側には、光軸に沿って、コマ画像を透過した光を結像させるレンズユニット７６、ラインＣＣＤ３０が順に配置されている。なお、レンズユニット７６として単一のレンズのみを示しているが、レンズユニット７６は、実際には複数枚のレンズから構成されたズームレンズである。なお、レンズユニット７６として、セルフォックレンズを用いてもよい。この場合、セルフォックレンズの両端面をそれぞれ、可能な限り写真フィルム６８及びラインＣＣＤ３０に接近させることが好ましい。
【００３８】
ラインＣＣＤ３０は、複数のＣＣＤセル搬送される写真フィルム６８の幅方向に沿って一列に配置され、かつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。ラインＣＣＤ３０は、各センシング部の受光面がレンズユニット７６の結像点位置に一致するように配置されている。
【００３９】
また、図示は省略するが、ラインＣＣＤ３０とレンズユニット７６との間にはシャッタが設けられている。
（画像処理部１６の制御系の構成）
図３には、図１に示す画像処理部１６の主要構成である画像メモリ４４、色階調処理４６、ハイパートーン処理４８、ハイパーシャープネス処理５０の各処理を実行するための詳細な制御ブロック図が示されている。
【００４０】
ラインＣＣＤスキャナ１４から出力されたＲＧＢの各デジタル信号は、データ処理部２００において、暗時補正、欠陥画素補正、シェーディング補正等の所定のデータ処理が施された後、Log 変換器２０２によってデジタル画像データ（濃度データ）に変換され、プレスキャンデータはプレスキャンメモリ２０４に記憶され、メインスキャンデータはメインスキャンメモリ２０６に記憶される。
【００４１】
プレスキャンメモリ２０４に記憶されたプレスキャンデータは、画像データ処理部２０８と画像データ変換部２１０とで構成されたプレスキャン処理部２１２に送出される。一方、メインスキャンメモリ２０６に記憶されたメインスキャンデータは、画像データ処理部２１４と画像データ変換部２１６とで構成されたメインスキャン処理部２１８へ送出される。
【００４２】
画像データ処理部２０８、２１６では、カラーバランス調整、コントラスト調整（色階調処理）、明るさ補正、彩度補正（ハイパートーン処理）、ハイパーシャープネス処理等が、ＬＵＴやマトリクス（ＭＴＸ）演算等の周知の方法で実行されるようになっている。
【００４３】
また、画像データ処理部２０８、２１６では、画像の周辺（背景）の光量を補正する周辺光量補正も実行される。
【００４４】
なお、上記調整、補正の各画像処理は、後述するように大きく分けて２つに分類されており、その１つは、画像読取に際して必ず実行される画像処理（必須画像処理）であり、他の１つはオペレータの判断（顧客からの要望を含む）により実行するか否かを決める画像処理（特別画像処理）である。この分類の詳細については、後述する。
【００４５】
プレスキャン側の画像データ変換部２１０では、画像データ処理部２０８によって処理された画像データを３Ｄ−ＬＵＴに基づいてモニタ１６Ｍへ表示するためのディスプレイ用画像データに変換している。一方、メインスキャン側の画像データ変換部２１６では、画像データ処理部２１４によって処理された画像データを、３Ｄ−ＬＵＴに基づいてレーザプリンタ部１８でのプリント用画像データに変換している。なお、上記ディスプレイ用の画像データと、プリント用画像データとは、表色系が異なるが、以下のような様々な補正によって一致を図っている。
【００４６】
すなわち、プレスキャン処理部２１２及びメインスキャン処理部２１８には、条件設定部２２４が接続されている。
【００４７】
条件設定部２２４は、セットアップ部２２６、キー補正部２２８、パラメータ統合部２３０とで構成されている。
【００４８】
セットアップ部２２６は、プレスキャンデータを用いて、メインスキャンの読取条件を設定し、ラインＣＣＤスキャナ１４に供給し、また、プレイスキャン処理部２１２及びメイスキャン処理部２１８の画像処理条件を演算し、パラメータ統合部２３０に供給している。
【００４９】
キー補正部２２８は、キーボード１６Ｋに設定された濃度、色、コントラスト、シャープネス、彩度等を調整するキーやマウスで入力された各種の指示等に応じて、画像処理条件の調整量を演算し、パラメータ統合部２３０へ供給している。
【００５０】
パラメータ統合部２３０では、上記セットアップ部２２６及びキー補正部２２８から受け取った画像処理条件をプレスキャン側及びメインスキャン側の画像データ処理部２０８，２１４へ送り、画像処理条件を補正あるいは再設定する。この再設定された画像処理条件に基づいてプレスキャン側ではモニタ表示し、ファインスキャン側ではプリント用画像データとして出力する。
【００５１】
上記が本装置における通常モードの処理内容であり、この場合、入力されたカラー画像データに対して適正な補正を施し、結果としてカラー画像データを出力する。
【００５２】
ここで、前述の画像処理の種類について説明する。必須画像処理に含まれる画像処理としてが、カラーバランス調整、コントラスト調整（色階調処理）、明るさ補正等が挙げられる。これらの処理は、ラインＣＣＤスキャナ１４により読み取られた全ての画像に対して処理される。
【００５３】
一方、特別画像処理は、画像毎にオペレータの指示によって実行（オン）されるようになっている。
【００５４】
図４（Ａ）に示される如く、オペレータは、顧客毎に発行している顧客カード３００に基づいて、特別画像処理の中から適当な画像処理を指示、選択するようになっている。顧客カード３００は、ＩＣメモリ３０２を備えており、このＩＣメモリ３０２に顧客の住所、氏名等顧客管理情報はもちろん、顧客特有の好み（例えば、画像の鮮明さ、色味等）が記録されているようになっている。また、この顧客特有の好みは、当該顧客からの注文に対して全て実行するもの、注文毎に要望するものとに区別されており、ラボ側ではこれらを全て読取り、画像コマ毎、或いはフィルム毎かを判別するようになっている。なお、図４（Ｂ）に示される如く、顧客カード３０４として、上記ＩＣメモリ３０２に限らず、カード表面（裏面でもよい）に磁気テープ３０６を貼り付け、この磁気テープ３０６に情報を磁気記録するタイプであってもよい。さらに、図４（Ｃ）に示される如く、顧客カード３０８に、バーコード等の識別符号３１０のみを付与し、情報自体はラボ側のデータベースに記憶させておき、ラボ側で識別符号識別符号（バーコード）３１０を読取り、情報を引き出すようにしてもよい。
【００５５】
表１には、本実施の形態の画像処理部１６における、ＣＣＤラインスキャナ１４によって読み取られた画像に対する特別画像処理の一覧が示されている。
【００５６】
【表１】
0003639117.tif 000002
なお、表１中のＡ，Ｂ，Ｃは、以下の内容を意味する。
Ａ：次の設定値変更時まで前回の設定が有効。
Ｂ：ソート（例えば、１オーダ分の終了）されるまで、前回の設定が有効。
Ｃ：対象コマのみ有効。
【００５７】
表１の画像処理では、利用できる形態が存在する。すなわち、同時プリント時に実行可能なものと再注文時にのみ実行可能なものとに分類され、処理すべき画像コマが何れの利用形態かを判断し、照合する。
【００５８】
さらに、モニタ１６Ｍに表示するモードによっても、各画像処理が分類される。すなわち、図５に示される如く、モニタ１６Ｍには、複数コマ（例えば、６コマ毎）に表示するモード（図５（Ａ）参照）と、１コマ毎に表示するモード（図５（Ｂ）参照）とがあり、各画像処理毎に、適応する表示モードが存在する。例えば、１コマ表示モードでしか処理できな画像処理として、細め仕上げ（画像の縦横比を変えて、体系を細くする処理）、ポートレート仕上げ（主被写体をくっきりさせ、周辺画像をぼかす処理）、赤目修正処理、クロスフィルタ（ソフト）仕上げが挙げられ、これらが指示された場合には、モニタ１６Ｍの表示画面モードとのマッチングを判断する必要がある。なお、各表示モードにおいて、画像表示と共に処理可能な画像処理内容が表示され、かつそれぞれの画像処理を立ち上げる（オンする）ためのファンクションキー番号が表示されている。
【００５９】
ここで、本実施の形態では、指示された画像処理内容と、表示モードとがマッチングした場合には、指示された画像処理を有効とし、画像処理内容と、表示モードがマッチングしない場合には、指示された画像処理を無効とする処置を行っている。すなわち、画像と共に表示されていないファンクションキーを操作しても無効になる。
【００６０】
設定有効期間とは、オペレータが所望の画像処理を指示し有効な場合（オン）、この有効である期間をいつまで保持するかを決めている。また、オン時の設定値とは、それぞれの画像処理がオンしたときの初期設定値をクリア（表１では横線で示している）にするか、前回の最終設定値とするか、デフォルト値にするかを決めている。
【００６１】
上記表１の各処理間には、組み合わせることによりハード構成上処理が不可能な場合、処理を行っても無意味な場合が存在する。以下の表２にこの各画像処理の組み合わせの適否を示す。
【００６２】
なお、表２の中の各記号は、以下の内容を示す。
ＨＳ：ハイパーシャープネス
ＨＴ：ハイパートーン
ＦＵ：顔表現向上
ＬＦ：ＬＦレンズ補正
ＲＰ：ＲＰ仕上げ
ＢＵ：輝き感アップ
ＭＴ：モノトーン仕上げ
ＴＢ：細め仕上げ
ＲＥ：赤目修正
ＸＦ：クロスフィルタ
ＳＦ：ソフト仕上げ
【００６３】
【表２】
0003639117.tif 000003
この表２の中で、ＯＫ（○）は、組み合わせが可能であり、ＮＧ（×）は、組み合わせが不可能であることを示しており、本実施の形態においては、組み合わせ不可能なものとしては、ハイパーシャープネスとポートレート仕上げ、ハイパーシャープネスとソフト仕上げ、ハイパートーンとソフト仕上げ、ポートレイト仕上げとソフト仕上げの４種類を挙げている。なお、表２で示した不可能の設定の組み合わせは、事実上不可能なものであり、ユーザ毎にオペレータによって設定可能であり、また、３種類以上の組み合わせにおいても設定可能である。すなわち、ユーザのハード環境等により自由に設定することが可能である。
【００６４】
それぞれの画像処理がオペレータによって指示され、有効となるとモニタ１６Ｍには、それぞれ独立した処理画面（詳細設定画面）が表示されるようになっている。なお、オペレータによる指示には、所謂プルダウン、プルアップ、ファンクションキー等、一般的なパーソナルコンピュータの操作に依存する。
【００６５】
図６乃至図１５には、表１に示す画像処理に対して処理の実行の指示があった場合に表示される詳細設定画面を示す。
【００６６】
図６は、ハイパーシャープネス画面３１２であり、設定内容としては、ハイパーシャープネス設定の有無を確認する確認部（×印がある場合には設定済）３１４、強度（弱、やや弱、標準、やや強、強）の設定部３１６と、肌部粒状抑制及び空部粒状抑制の実施／不実施の選択部３１８とが設けられている。
【００６７】
図７は、ハイパートーン画面３２０であり、設定内容としては、ハイパートーン設定の有無を確認する確認部（×印がある場合には設定済）３２２、モード（標準、ストロボ、逆光）の設定部３２４が設けられている。
【００６８】
図８は、顔表現向上画面３２６であり、設定内容としては、顔表現向上設定の有無を確認する確認部（×印がある場合には設定済）３２８、明るさ階調、カラーバランス階調、濃度シフトの各設定部３３０、３３２、３３４が設けられている。
【００６９】
図９は、ＬＦレンズ補正画面３３６であり、設定内容としては、ＬＦレンズ補正の設定の有無を確認する確認部（×印がある場合には設定済）３３８が設けられている。
【００７０】
図１０は、ＲＰ調（風景）仕上げ画面３４０であり、設定内容としては、ＲＦ仕上げの設定の有無を確認する確認部（×印がある場合には設定済）３４２、階調補正（オフ、弱、標準、強）を設定する設定部３４４、色相変更（オフ、弱、標準、強）を設定する設定部３４６が設けられている。
【００７１】
図１１は、輝き度アップ画面３４８であり、設定内容としては、輝き度アップの設定の有無を確認する確認部（×印がある場合には設定済）３５０が設けられている。
【００７２】
図１２は、モノトーン仕上げ画面３５２であり、設定内容としては、モノトーンの設定の有無を確認する確認部（×印がある場合には設定済）３５４、色調（白黒調、セピア調、登録１、登録２）の設定部３５６、各色をゲージ操作で設定するゲージ操作設定部３５８が設けられている。なお、このモノトーン仕上げ設定部３５８には、色味登録用サブ画面（図示省略）が設けられ、白黒、セピア以外のモノトーンの色設定が可能となっている。
【００７３】
図１３は、細め仕上げ画面３６０であり、設定内容としては、細め仕上げの設定の有無を確認する確認部（×印がある場合には設定済）３６２、強度（強い、標準、弱い）を設定する設定部３６４、ＴＢＤ設定部３６６が設けられている。
【００７４】
図１４は、ポートレート仕上げ画面３６８であり、設定内容としては、ポートレート仕上げの設定の有無を確認する確認部（×印がある場合には設定済）３７０、強度（弱、標準、強）を設定する設定部３７２、顔サイズ（小、中、大）を設定する設定部３７４が設けられている。
【００７５】
図１５は、赤目修正画面３７６であり、修正前と修正後の画像が一度に見られるように２個の表示部３７８、３８０が併設されている。また、この表示部３７８、３８０の隣接して、テンプレート３８２（図１６参照）が設けられている。図１６に示される如く、テンプレート３８２には、矩形領域選択、楕円形領域選択、拡大、色相彩度調整を含む複数のコマンドボタンが設けられている。
【００７６】
なお、上記赤目修正画面３７６は、クロスフィルタ画面及びソフト仕上げ画面と共通に適用することができる。
【００７７】
すなわち、前記テンプレート３８２には、赤目修正、クロスフィルタ、ソフトの何れかを選択するコマンドボタンが設けられ、マウスポインタ３８４で指示した後クリック操作を行うことにより、設定を変更することができる。
【００７８】
以下に、本実施の形態の作用を説明する。
（通常モード）
オペレータがフィルムキャリア７４に写真フィルム６８を挿入し、画像処理部１６のキーボード１６Ｋによりコマ画像読取開始を指示すると、フィルムキャリア７４では、写真フィルム２２を搬送開始する。この搬送により、プレスキャンが実行される。すなわち、写真フィルム６８を比較的高速で搬送しながら、ラインＣＣＤスキャナ１４によって、画像コマのみならず、写真フィルムの６８の画像記録領域外の各種データを含めて、読み取っていく。
【００７９】
次に磁気（光学）情報を読取り、コマ画像のサイズを認識し、例えば、パノラマサイズのコマ画像である場合には、パノラマサイズの画像特有の素抜け部分（写真フィルムの幅方向両端側）を遮光する。
【００８０】
次に、撮影画像の画像処理パラメータである、カラー補正量、濃度補正量、歪曲収差補正量等（以上、必須画像処理）を算出し、次いでファインスキャン時の読取条件（絞り）を算出する。
【００８１】
その後、ファインスキャンが実行され、撮影画像の画像処理パラメータをセットし、撮影画像の補正を実行する。補正されたファインスキャン画像データは、写真プリント作成の場合には、ＲＧＢの表色系に変換され、印画紙への焼付（ここでは、レーザプリンタによる走査露光）処理が行われる。
【００８２】
上記では、必須画像処理についてのみ実行される形態を示しており、同時プリント等で処理を迅速に行う場合には、最も作業効率の良い形態である。
【００８３】
この最迅速処理に対して、例えば、ＬＦにより撮影された場合には、ＬＦレンズによる周辺画像の光量低下を補正するため、特別画像処理としてＬＦレンズ補正を設定しておく。この設定は、表示１に示される如く、一度設定しておけば次にオペレータが操作するまで設定が維持されるため、上記必須画像処理に混じって全ての画像コマに対して処理（補正）が実行される。
【００８４】
また、同時プリント時に設定可能な特別画像処理としては、表１に示される如く、ハイパーシャープネス処理、ハイパートーン処理、顔表現向上処理、ＲＰ仕上げがあり、オペレータの指示により上記必須画像処理と共に実行される。
【００８５】
この特別画像処理の設定は、オペレータの判断による場合の他、顧客カード３００（或いは３０４、３０８）に記憶された顧客の要望によるところが多い。
【００８６】
すなわち、顧客が同時プリントを依頼するときに、顧客カード３００を提示する。この顧客カード３００のＩＣメモリ３０２（図４（Ａ）参照）には、当該顧客の趣向が予め記憶されている。例えば、顧客によっては輪郭がくっきりと表現されるシャープネスを強調してほしいとか、画像の色味をはっきりさせてほしいとか、の様々な要望が記憶されている。ラボ側では、このような顧客特有の要望を受付の度にに聞かなくても、顧客カード３００のＩＣメモリ３０２から情報を読み出すことにより、迅速かつ正確に認識することができる。また、受付の際に新たな要望があった場合には、その旨をＩＣメモリ３０２に記録しておけば、次の受付時の問い合わせ項目として残しておくことができる。すなわち、前回はＲＰ調仕上げとしたが、今回はどうするかといった質問をすることができる。
【００８７】
なお、上記画像処理は、同時プリントのときを例にとり説明したが、再注文のときでも実行可能である。また、再注文のときのみに有効なものとして、以下の特別画像処理の設定が可能である。この再注文時の特別画像処理には、表１に示される如く、モノトーン仕上げ、輝き度アップ、細め仕上げ、ポートレート仕上げ、赤め修正、クロスフィルタ、ソフト仕上げがあり、受付時に顧客から要望される項目を選択することができる。また、上記特別画像処理においては、１コマ毎に設定するものもあり（表１参照）、このような詳細な注文は、顧客カード３００のＩＣメモリ３０２に記憶しておくことにより、ラボ側で間違えた処理を行うことがない。
【００８８】
また、上記特別画像処理及び特別画像処理では、組み合わせが不可能な処理が存在する。表２に示される如く、初期設定では、ハイパーシャープネスとポートレート仕上げ、ハイパーシャープネスとソフト仕上げ、ハイパートーンとソフト仕上げ、ポートレイト仕上げとソフト仕上げの４種類が組み合わせ不可能とされ、これらの組み合わせが設定された場合には、先に設定された項目（画像処理）がキャンセルされ、後から設定した項目が有効となる。
【００８９】
さらに、表１に示される如く、それぞれの画像処理には、モニタ１６Ｍに表示する形態が定められている。すなわち、ＬＦレンズ補正、ハイパーシャープネス、ハイパートーン、顔表現向上、ＲＰ仕上げ、モノトーン仕上げ、輝き感アップは、モニタ１６Ｍには複数コマ（例えば、６コマ）毎に表示するモードであっても処理が可能である（図５（Ｂ）参照）。上記以外の処理では、１コマ表示のモードでなければ処理ができないため、画像処理内容と表示モードとが整合していない場合には、指定された画像処理が無効となる。
【００９０】
本実施の形態によれば、様々な画像処理に関して、総括的に管理し、予め同時プリント／再注文の利用形態、複数コマ表示／１コマ表示の画面モード、設定有効期間、オン時の設定値及びオン・オフ切り替えの方法（例えば、プルダウン方式カ、ファンクションキー方式か）を定めておき、これらが整合しない場合には、処理を無効とするようにしたため、適正な状態で画像処理を行うことができる。
【００９１】
また、不適当な組み合わせ、すなわち、ハード構成上処理が不可能な組み合わせや、互いに相反する処理のため無意味な組み合わせに関しても、予め表２の如く設定しておき、上記組み合わせがあった場合に、最先の指示を優先するようにしたため、ハード構成上処理が不可能にも拘らず処理が実行され制御系が暴走したり、互いに相反する処理を行って結局元の画像に戻ってしまうようなことを未然に防止することができる。
【００９２】
なお、上記特別画像処理として、複数の画像処理を挙げたが、この他にも、例えば、鏡像（左右、上下）処理、ネガ・ポジ判反転処理、色鉛筆風、ポスター風、張り紙風等の各種レタッチ処理、背景交換処理、レイヤー透明処理等、様々な画像処理を後から導入することも可能である。
【００９３】
【発明の効果】
以上説明した如く本発明に係る画像処理装置は、画像読取手段で読み取られた全ての画像に対して実行する必須の画像処理手段以外の特別に指定された場合に実行する特別画像処理である特別画像処理に関する管理及び操作手順を確立し、作業効率の向上を図ることができるという優れた効果を有する。
【図面の簡単な説明】
【図１】本発明の実施の形態に係るディジタルラボシステムの概略構成図である。
【図２】ディジタルラボシステムの外観図である。
【図３】本実施の形態に係る画像処理部の制御ブロック図である。
【図４】本実施の形態に係る顧客カードの正面図である。
【図５】本実施の形態に係るモニタ表示画面の正面図である。
【図６】画像処理モード詳細設定画面の正面図である。
【図７】画像処理モード詳細設定画面の正面図である。
【図８】画像処理モード詳細設定画面の正面図である。
【図９】画像処理モード詳細設定画面の正面図である。
【図１０】画像処理モード詳細設定画面の正面図である。
【図１１】画像処理モード詳細設定画面の正面図である。
【図１２】画像処理モード詳細設定画面の正面図である。
【図１３】画像処理モード詳細設定画面の正面図である。
【図１４】画像処理モード詳細設定画面の正面図である。
【図１５】画像処理モード詳細設定画面の正面図である。
【図１６】図１５の詳細設定画面におけるテンプレートの拡大図である。
【符号の説明】
１０    ディジタルラボシステム
１４    ラインＣＣＤスキャナ
１６    画像処理部
１６Ｍ    モニタ
６６    光源部
６８    写真フィルム
１５２    画像分離部
１５６    プレ露光画像メモリ
１６８、１７０    画像合成部
２００    データ処理部
２０２    log 変換器
２０４    プレスキャンメモリ
２０６    メインスキャンメモリ
２０８    画像データ処理部
２１２    プレスキャン処理部
２１４    画像データ処理部
２１８    メインスキャン処理部
３００    顧客カード
３０２    ＩＣメモリ
【図１】
0003639117.tif 000004
【図２】
0003639117.tif 000005
【図３】
0003639117.tif 000006
【図４】
0003639117.tif 000007
【図５】
0003639117.tif 000008
【図６】
0003639117.tif 000009
【図７】
0003639117.tif 000010
【図８】
0003639117.tif 000011
【図９】
0003639117.tif 000012
【図１０】
0003639117.tif 000013
【図１１】
0003639117.tif 000014
【図１２】
0003639117.tif 000015
【図１３】
0003639117.tif 000016
【図１４】
0003639117.tif 000017
【図１５】
0003639117.tif 000018
【図１６】
0003639117.tif 000019